(57)【要約】【課題】本発明は、パラメータの変動をリアルタイムで推定し、センサレスベクトル制御の性能を向上した誘導電動機のセンサレスベクトル制御装置を提供する。【解決手段】本発明は、電流制御器と、第１相変換器と、インバータと、第２相変換器と、インバータの出力電圧を用いて測定した電動機の相電流と、第１相変換器の出力値を用いて、電動機の回転子速度と回転子磁束を測定し、その値で回転子位置を推定する回転子速度及び位置推定器と、電流制御器に入力される同期座標系上のｄ、ｑ軸の電流指令と電流制御器から出力される同期座標系上のｄ、ｑの電圧を入力されて、誘導電動機の固定子抵抗と角誤差を計算し、固定子抵抗を回転子速度及び位置推定器に提供する固定子抵抗及び角誤差推定器と、を備える。【選択図】図５
2014204668.tif 000002
【特許請求の範囲】
【請求項１】
同期座標系上のｄ、ｑ軸の電流指令を用いて、前記同期座標系上のｄ、ｑの電圧を出力する電流制御器と、
前記電流制御器の出力電圧を停止座標系上の電圧に変換するための第１相変換器と、
前記第１相変換器の出力を印加されて、誘導電動機に電圧を印加するインバータと、
前記インバータから前記誘導電動機に印加される電圧を用いて測定した相電流を入力されて、同期座標系上のｄ、ｑ軸の電流に変換する第２相変換器と、
前記相電流と、前記第１相変換器の出力値とを用いて、前記誘導電動機の回転子速度と回転子磁束を測定し、その値で回転子位置を推定する回転子速度及び位置推定器と、及び
前記電流制御器に入力される前記同期座標系上のｄ、ｑ軸の電流指令と、前記電流制御器から出力される前記同期座標系上のｄ、ｑの電圧を入力されて、前記誘導電動機の固定子抵抗と角誤差を計算し、前記固定子抵抗を前記回転子速度及び位置推定器に提供する、固定子抵抗及び角誤差推定器と、を備えることを特徴とする誘導電動機のセンサレスベクトル制御装置。
【請求項２】
前記インバータの出力電圧を用いて、前記誘導電動機に印加される相電流を測定するための電流測定器を相別にさらに備えることを特徴とする請求項１に記載の誘導電動機のセンサレスベクトル制御装置。
【請求項３】
前記固定子抵抗及び角誤差推定器から提供される角誤差を用いて、前記第１相変換器で用いられる回転子の磁束角を補正するための第１磁束角補正装置をさらに備えることを特徴とする請求項１または２に記載の誘導電動機のセンサレスベクトル制御装置。
【請求項４】
前記固定子抵抗及び角誤差推定器から提供される角誤差を用いて、前記第２相変換器で用いられる回転子の磁束角を補正するための第２磁束角補正装置をさらに備えることを特徴とする請求項１乃至３のいずれか一項に記載の誘導電動機のセンサレスベクトル制御装置。
【請求項５】
前記固定子抵抗及び角誤差推定器は、
前記電流制御器の出力電圧と、前記第２相変換器から前記電流制御器に印加される帰還電流から、前記誘導電動機の角速度誤差を推定する角速度誤差推定器と、
前記電流制御器の出力電圧と、前記第２変換器から前記電流制御器に印加される帰還電流から、前記誘導電動機の固定子抵抗値をリアルタイムで推定する固定子抵抗推定器と、を備えることを特徴とする請求項１乃至４のいずれか一項に記載の誘導電動機のセンサレスベクトル制御装置。
【請求項６】
前記固定子抵抗及び角誤差推定器は、
前記角速度誤差推定器で推定する角速度誤差を選択的に提供する第１スイッチと、
前記第１スイッチによって提供された角速度誤差によって決まる角速度補償量を決定するための補償器と、
前記補償の出力である角速度補償量から角誤差を計算する積分器と、及び
前記固定子抵抗推定器から提供される固定子抵抗値を選択的に前記回転子速度及び位置推定器に提供する第２スイッチと、をさらに備えることを特徴とする請求項５に記載の誘導電動機のセンサレスベクトル制御装置。
【請求項７】
前記誘導電動機の回転子速度指令と回転子速度を入力とし、前記電流制御器に前記同期座標系上のｑ軸の電流指令を出力する速度制御器をさらに備えることを特徴とする請求項１乃至６のいずれか一項に記載の誘導電動機のセンサレスベクトル制御装置。
【発明の詳細な説明】
【技術分野】
【０００１】
本発明は、誘導電動機の制御装置に関するものであって、より詳しくは、センサレスベクトル運転中のリアルタイムパラメータの推定方法を含む誘導電動機のセンサレスベクトル制御装置に関する。
【背景技術】
【０００２】
一般に、誘導電動機は、巻線が装着された固定子と、アルミニウム導体または鉄心から形成された回転子とで構成される。このような誘導電動機は、前記固定子に装着された巻線に周期的な電流の変化を発生させ、電流の変化による磁界の一定の変化によって前記回転子にトルクが発生するようにすることにより、回転動力を得る装置をいう。
【０００３】
汎用インバータは、３相電動機の駆動に主に用いられるが、特に、誘導電動機を用いた可変速（ｖａｒｉａｂｌｅ  ｓｐｅｅｄ）運転分野、巻き上げ（ｈｏｉｓｔ）負荷、電気自動車の牽引用（ｔｒａｃｔｉｏｎ）負荷に使用される。誘導電動機の運転は、ベクトル制御（ｖｅｃｔｏｒ  ｃｏｎｔｒｏｌ、または、Ｆｉｅｌｄ  Ｏｒｉｅｎｔｅｄ  Ｃｏｎｔｒｏｌ：ＦＯＣ）によって行われる場合が多く、スペースの制約があったり、システムの価格低減が必要な応用分野では、位置センサを使用しないベクトル制御（ｐｏｓｉｔｉｏｎ  ｓｅｎｓｏｒｌｅｓｓ  ｖｅｃｔｏｒ  ｃｏｎｔｒｏｌ）が誘導電動機の制御方法として多く用いられている。
【０００４】
しかし、かご形誘導電動機（ｓｑｕｉｒｒｅｌ  ｃａｇｅ  ｉｎｄｕｃｔｉｏｎ  ｍａｃｈｉｎｅ）は、回転子の内部の電気回路が形成される特徴により、負荷や速度に応じて固定子と回転子の内部の温度が変動しやすく、誘導電動機の温度上昇は、固定子抵抗（ｓｔａｔｏｒ  ｒｅｓｉｓｔａｎｃｅ）値の変動をもたらすことになる。通常、多く用いられる誘導電動機のセンサレス運転は、誘導電動機のパラメータに依存しているため、固定子抵抗の変動は、誘導電動機のセンサレスベクトル制御の性能を低減させる。
【発明の概要】
【発明が解決しようとする課題】
【０００５】
本発明は、パラメータの変動をリアルタイムで推定し、センサレスベクトル制御の性能を向上した誘導電動機のセンサレスベクトル制御装置を提供する。
【課題を解決するための手段】
【０００６】
本発明は、同期座標系上のｄ、ｑ軸の電流指令を用いて、前記同期座標系上のｄ、ｑの電圧を出力する電流制御器と、前記電流制御器の出力電圧を停止座標系上の電圧に変換するための第１相変換器と、前記第１相変換器の出力を印加されて、誘導電動機に電圧を印加するインバータと、前記インバータから前記誘導電動機に印加される電圧を用いて測定した相電流を入力されて、同期座標系上のｄ、ｑ軸の電流に変換する第２相変換器と、前記インバータの出力電圧を用いて測定した電動機の相電流と、前記第１相変換器の出力値を用いて、前記誘導電動機の回転子速度と回転子磁束を測定し、その値で回転子の位置を推定する回転子速度及び位置推定器と、前記電流制御器に入力される前記同期座標系上のｄ、ｑ軸の電流指令と、前記電流制御器から出力される前記同期座標系上のｄ、ｑの電圧を入力されて、前記誘導電動機の固定子抵抗と角誤差を計算し、前記固定子抵抗は、前記回転子速度と位置推定器に提供する固定子抵抗及び角誤差推定器と、を備える誘導電動機のセンサレスベクトル制御装置を提供する。
【０００７】
また、本発明の誘導電動機のセンサレスベクトル制御装置は、前記インバータの出力電圧を用いて、前記誘導電動機に印加される相電流を測定するための電流測定器を相別にさらに備える。
【０００８】
また、本発明の誘導電動機のセンサレスベクトル制御装置は、前記固定子抵抗及び角誤差推定器から提供される角誤差を用いて、前記第１相変換器で用いられる回転子の磁束角を補正するための第１磁束角補正装置をさらに備える。
【０００９】
また、本発明の誘導電動機のセンサレスベクトル制御装置は、前記固定子抵抗及び角誤差推定器から提供される角誤差を用いて、前記第２相変換器で用いられる回転子の磁束角を補正するための第２磁束角補正装置をさらに備える。
【００１０】
また、前記固定子抵抗及び角誤差推定器は、前記電流制御器の出力電圧と、前記第２相変換器から前記電流制御器に印加される帰還電流から、前記誘導電動機の角速度誤差を推定する角速度誤差推定器と、前記電流制御器の出力電圧と、前記第２相変換器から前記電流制御器に印加される帰還電流から、前記誘導電動機の固定子抵抗値をリアルタイムで推定する固定子抵抗推定器と、を備える。
【００１１】
また、前記固定子抵抗及び角誤差推定器は、前記角速度誤差推定器で推定する角速度誤差を選択的に提供する第１スイッチと、前記第１スイッチによって提供された角速度誤差によって決まる角速度補償量を決定するための補償器と、前記補償器の出力である角速度補償量から角誤差を計算する積分器と、前記固定子抵抗推定器で提供される固定子抵抗値を選択的に前記回転子速度及び位置推定器に提供する第２スイッチと、をさらに備える。
【００１２】
また、本発明の誘導電動機のセンサレスベクトル制御装置は、誘導電動機の回転子速度指令と回転子速度を入力とし、前記同期座標系上のｑ軸の電流指令を出力する速度制御器をさらに備える。
【発明の効果】
【００１３】
本発明による誘導電動機の制御装置及びその駆動方法において、センサレスベクトル制御時、固定子抵抗のリアルタイム推定と角誤差補償は、電流制御器のフィードフォワード補償項と電流制御器の積分器の出力電圧を用いて達成される。本発明で提案された方式は、制御システムにおいて最速の動特性を有する電流制御器の制御帯域幅によってその性能が決定されるため、動特性が非常に速く、特別な運転モードを有さないことから、簡単であるという長所がある。
【図面の簡単な説明】
【００１４】
【図１】本発明を説明するためのものであって、誘導電動機システムを示すブロック図である。
【図２】図１に示された速度制御器を示すブロック図である。
【図３】図１に示された電流制御器を示すブロック図である。
【図４】図１に示された電流制御器を示すブロック図である。
【図５】本発明の実施形態に係る誘導電動機システムを示すブロック図である。
【図６】図５に示された固定子抵抗と角誤差推定器を示すブロック図である。
【発明を実施するための形態】
【００１５】
以下、本発明の属する技術分野における通常の知識を有する者が本発明の技術的思想を容易に実施できる程度に詳細に説明するために、本発明の最も好ましい実施形態について添付図面を参照して説明する。
【００１６】
本発明は、誘導電動機のセンサレスベクトル運転（ｓｅｎｓｏｒｌｅｓｓ  ｖｅｃｔｏｒ  ｃｏｎｔｒｏｌ）中のリアルタイムパラメータの推定に関するものであって、特に、固定子抵抗（ｓｔａｔｏｒ  ｒｅｓｉｓｔａｎｃｅ）の推定と、角誤差（ａｎｇｌｅ  ｅｒｒｏｒ）の補償に適するようにした推定器の設計に関する。
【００１７】
図１は、本発明を説明するためのものであって、誘導電動機システムを示すブロック図である。特に、速度制御を含む誘導電動機制御の構成図である。
【００１８】
速度制御器１００は、回転子速度指令と実際の回転子速度を入力として、同期座標系（ｓｙｎｃｈｒｏｎｏｕｓ  ｒｅｆｅｒｅｎｃｅ  ｆｒａｍｅ）上のｑ軸の電流指令を出力する。
【００１９】
電流制御器２００の同期座標系上のｄ、ｑ軸の電流指令と、実電流から、同期座標系上のｄ、ｑの電圧を出力する。
【００２０】
第１相変換器３００は、電流制御器２００の出力電圧を停止座標系（ｓｔａｔｉｏｎａｒｙ  ｒｅｆｅｒｅｎｃｅ  ｆｒａｍｅ）上の電圧に変換する装置である。
【００２１】
第２相変換器４００は、電流測定器１０８ａ、１０８ｂ、１０８ｃで測定した電動機の相電流（ｐｈａｓｅ  ｃｕｒｒｅｎｔ）を同期座標系上のｄ、ｑ軸の電流に変換する装置であって、一つの電流情報は省略可能である。
【００２２】
インバータ５００は、電圧型インバータであって、誘導電動機６００に電圧を印加する装置である。
【００２３】
回転子速度及び位置推定器７００は、回転子速度及び位置の推定のための装置であって、電流測定器１０８ａ、１０８ｂ、１０８ｃによって生成される電動機の相電流と、第１相変換器３００の出力電圧を入力として、誘導電動機６００の回転子速度及び回転子磁束（ｒｏｔｏｒ  ｆｌｕｘ）の位置を推定する。
【００２４】
図２は、図１に示された速度制御器を示すブロック図である。
【００２５】
図２を参照すると、速度制御器１００は、加算器１１０、１２０、１６０、１７０、制限器１８０、利得部１３０、比例−積分制御器１４０、１５０を含む。
【００２６】
速度制御器１００は、指令速度（ｓｐｅｅｄ  ｒｅｆｅｒｅｎｃｅ）と実速度（ｆｅｅｄｂａｃｋ  ｓｐｅｅｄ）との差を入力とする比例−積分制御器１４０、１５０を用いて、ｑ軸の電流指令を出力する。
【００２７】
速度制御のための比例−積分制御器１４０、１５０は、入力信号を積分して出力するためのものであり、制限器１８０は、速度制御器１００の出力を制限するための制限器（ｌｉｍｉｔｅｒ）である。
【００２８】
利得部１３０は、制限器１８０が動作する際、比例−積分制御器１４０、１５０の発散（ｄｉｖｅｒｇｅｎｃｅ）を防止するためのアンチワインドアップ（Ａｎｔｉ−ｗｉｎｄｕｐ）利得動作のためのものである。速度制御器１００の出力は、同期座標系上のｑ軸電流となる。
【００２９】
図３及び図４は、図１に示された電流制御器２００を示すブロック図である。図３は、同期座標系上のｄ軸の電流制御器２００の構成図であり、図４は、同期座標系上のｑ軸の電流制御器２００の構成図である。
【００３０】
図３を参照すると、ｄ軸の電流制御器２００は、減算器２１０、２２０、加算器２５０、２７０、利得部２６０、比例−積分制御器２３０、２４０を含む。
【００３１】
図４を参照すると、ｑ軸の電流制御器２００は、減算器２１１、２２１、加算器２５１、２７１、利得部２６１、比例−積分制御器２３１、２４１を含む。
【００３２】
図３及び図４を参照すると、ｄ、ｑ軸の電流制御器２００は、同期座標系上のｄ、ｑ軸の電流をそれぞれ制御するための比例−積分形態の制御器とフィードフォワード補償（ｆｅｅｄ−ｆｏｒｗａｒｄ）とで構成されている。
【００３３】
比例−積分制御器２３０、２４０、２３１、２４１は、電流指令と帰還電流（ｆｅｅｄｂａｃｋ  ｃｕｒｒｅｎｔ）から電流制御をするための比例−積分利得動作を行う。
【００３４】
入力信号Ｖｆｆ＿ｄ、Ｖｆｆ＿ｑは、フィードフォワード補償のためのものであって、誘導電動機のモデリング（ｍｏｄｅｌｉｎｇ）によって様々な形態で入力が可能である。
【００３５】
利得部２６０、２６１は、電流制御器２００の出力がインバータ５００が合成できる電圧の大きさを超える場合、積分制御器２４０、２４１の発散を防ぐためのアンチワインドアップ利得を得る。
【００３６】
図１の電流制御器２００の出力である同期座標系上の電圧を停止座標系（ｓｔａｔｉｏｎａｒｙ  ｒｅｆｅｒｅｎｃｅ  ｆｒａｍｅ）上の電圧に変換することで、次のような定義を有する。
【数１】
2014204668.tif 000003
【００３７】
図１の相変換器４００は、電流測定器１０８ａ、１０８ｂ、１０８ｃから測定した電動機の相電流から同期座標系上のｄ、ｑ軸の電流を求めるものであって、次の過程を経る。
【数２】
2014204668.tif 000004
【００３８】
図１の回転子速度及び位置推定器７００は、回転子速度と回転子磁束の位置を把握する装置であって、様々な方式が存在するが、産業界で広く使用さている方式は、大きく、モデル基準適応制御（Ｍｏｄｅｌ  Ｒｅｆｅｒｅｎｃｅ  Ａｄａｐｔｉｖｅ  Ｓｙｓｔｅｍ：ＭＲＡＳ）方式、または、適応速度観測機（Ａｄａｐｔｉｖｅ  Ｓｐｅｅｄ  Ｏｂｓｅｒｖｅｒ：ＡＳＯ）方式が、主に用いられる。
【００３９】
ＭＲＡＳ方式を用いて推定された回転子磁束は、次のとおりである。
【数３】
2014204668.tif 000005
【００４０】
また、ＡＳＯの方法で推定された回転子磁束は、次のとおりである。
【数４】
2014204668.tif 000006
【００４１】
式（７）及び式（８）に示すように、ＭＲＡＳまたはＡＳＯ方式を用いて回転子磁束を推定する場合、誘導電動機のパラメータが含まれていることが分かる。一般的な誘導電動機の間接ベクトル制御（ｉｎｄｉｒｅｃｔ  ｖｅｃｔｏｒ  ｃｏｎｔｒｏｌ）でスリップ周波数（ｓｌｉｐ  ｆｒｅｑｕｅｎｃｙ）は、式（９）のように表され、回転子磁束と回転子磁束の位置は、式（１０）と式（１１）のように、それぞれ表される。
【数５】
2014204668.tif 000007
【００４２】
位置センサがない誘導電動機のセンサレスベクトル制御を行う場合、式（７）及び式（８）で示されているように、誘導電動機のパラメータに依存している。特に、誘導電動機の固定子抵抗は、誘導電動機の運転状況に応じてその値が変動することになり、回転子磁束の推定性能を低下させ、その結果、回転子速度及び回転子磁束の推定性能に影響を及ぼすことになる。ここまで、ＭＲＡＳ方法について説明し、本発明で提案された方法は、ＡＳＯの方式でも適用可能である。
【００４３】
本発明は、固定子抵抗（ｓｔａｔｏｒ  ｒｅｓｉｓｔａｎｃｅ）をリアルタイムで推定し、センサレスベクトル制御時に現れる角誤差を補償して、誘導電動機のセンサレスベクトル制御の性能を向上した誘導電動機の制御装置及びその駆動方法を提供する。
【００４４】
図５は、本発明の実施形態に係る誘導電動機システムを示すブロック図である。特に、図５は、本発明で提案する固定子抵抗及び角誤差推定器を含む誘導電動機システムの構成図である。
【００４５】
図５の構成のうち、図１の構成と同一の構成に対しては、同一の符号を付する。
【００４６】
図５を参照すると、速度制御器１００は、回転子速度指令と実際の回転子速度を入力として、同期座標系（ｓｙｎｃｈｒｏｎｏｕｓ  ｒｅｆｅｒｅｎｃｅ  ｆｒａｍｅ）上のｑ軸の電流指令を出力する。電流制御器２００は、同期座標系上のｄ、ｑ軸の電流指令と実電流から同期座標系上のｄ、ｑの電圧を出力する。
【００４７】
第１相変換器３００は、電流制御器２００の出力電圧を停止座標系（ｓｔａｔｉｏｎａｒｙ  ｒｅｆｅｒｅｎｃｅ  ｆｒａｍｅ）上の電圧に変換する装置である。
【００４８】
第２相変換器４００は、インバータの相電流測定器１０８ａ、１０８ｂ、１０８ｃで測定した電動機の相電流（ｐｈａｓｅ  ｃｕｒｒｅｎｔ）ｉａｓ、ｉｂｓ、ｉｃｓを同期座標系上のｄ、ｑ軸電流に変換する装置である。
【００４９】
インバータ５００は、電圧型インバータであって、３相誘導電動機６００に電圧を印加する装置である。
【００５０】
回転子速度及び位置推定器７００は、回転子速度と回転子磁束から回転子位置を推定する装置である。
【００５１】
相電流測定器１０８ａ、１０８ｂ、１０８ｃは、誘導電動機６００に印加される相電流を測定するための装置である。
【００５２】
固定子抵抗及び角誤差推定器１０００は、固定子抵抗Ｒｓ＿ｅｓｔと、角誤差Δθｅを推定する装置である。
【００５３】
磁束角補正装置８００、９００は、固定子抵抗及び角誤差推定器１０００から推定された角誤差Δθｅを用いて、相変換器３００、４００に入力される回転子磁束角θｅを補正する装置である。
【００５４】
図６は、図５に示された固定子抵抗及び角誤差推定器を示すブロック図である。
【００５５】
図６に示すように、固定子抵抗及び角誤差推定器１０００は、角速度誤差推定器１１００、固定子抵抗推定器１２００、スイッチ１３００、１４００、補償器１５００、積分器１６００を含む。
【００５６】
角速度誤差推定器１１００は、ｄ、ｑ軸の電流制御器２００の出力電圧と、第２相変換器４００から、電流制御器２００に印加される帰還電流から角速度誤差を推定する。
【００５７】
スイッチ１３００は、角誤差補償有無によって、選択的に角速度誤差推定器１１００の出力を補償器１５００に伝達する。
【００５８】
補償器１５００は、角速度補償量を決定し、積分器１６００は、補償器１５００の出力である角速度補償量から角誤差を計算する。固定子抵抗推定器１２００は、固定子抵抗をリアルタイム（ｏｎ−ｌｉｎｅ）で推定し、ｄ、ｑ軸の電流制御器２００の出力電圧と、第２相変換器４００からの電流制御器２００に印加される帰還電流とから固定子抵抗を推定する。
【００５９】
スイッチ１４００は、固定子抵抗の計算時点に応じて固定子抵抗推定器１２００の出力を選択的に伝達する。
【００６０】
続いて、図５及び図６を参照して、具体的な動作について調べてみると、次のとおりである。一般的な座標系上で誘導電動機の電圧方程式と磁束式は、次のとおりである。
【数６】
2014204668.tif 000008
【００６１】
式（１２）乃至式（１９）を参照して、同期座標系上で誘導電動機の電圧方程式と磁束式を求めると、次のとおりである。
【数７】
2014204668.tif 000009
【００６２】
また、回転子磁束と回転子電流を用いて固定子磁束を表すと、次のとおりである。
【数８】
2014204668.tif 000010
【００６３】
上記式から回転子の電圧方程式をまとめると、次のとおりである。
【数９】
2014204668.tif 000011
【００６４】
また、誘導電動機の固定子側の同期座標系上のｄ、ｑ軸の電圧方程式を次のように表すことができる。
【数１０】
2014204668.tif 000012
【００６５】
式（３３）と式（３４）は、次のように、等価的（ｅｑｕｉｖａｌｅｎｔ）で表すことができる。
【数１１】
2014204668.tif 000013
【００６６】
また、センサレスベクトル制御が円滑に行われ、正常状態（ｓｔｅａｄｙ  ｓｔａｔｅ）で電流制御が行われているとき、電流制御器の出力は、それぞれ、次のように求められる。
【数１２】
2014204668.tif 000014
【００６７】
ただし、このとき、フィードフォワード補償（ｆｅｅｄ−ｆｏｒｗａｒｄ）項は、次のように求められる。
【数１３】
2014204668.tif 000015
【００６８】
電流制御が円滑に行われる場合、式（３５）乃至式（３９）より、次の条件を満足する。
【数１４】
2014204668.tif 000016
【００６９】
このとき、インダクタンスの情報が正確であるという仮定下で、ｄ、ｑ軸の電流制御器が正常状態で担当する電圧は、次のとおりである。
【数１５】
2014204668.tif 000017
【００７０】
式（４４）と式（４５）をまとめると、次のとおりである。
【数１６】
2014204668.tif 000018
【００７１】
これを、次のように置換することができる。
【数１７】
2014204668.tif 000019
【００７２】
上記の連立方程式を求めると、次のような角速度誤差を求めることができる。
【数１８】
2014204668.tif 000020
【００７３】
式（５０）のように求められた値がゼロ（ｚｅｒｏ）になるまで、図６の補償器１５００が動作をすることになり、積分器１６００は、角誤差を計算することになる。
【００７４】
このとき、固定子抵抗推定器１５００は、次のように、２つの出力を有する。
【数１９】
2014204668.tif 000021
【００７５】
式（５１）と式（５２）から求めた固定子抵抗のいずれかを選択し、固定子抵抗値として用いることができる。
【００７６】
ここまで調べたように、本発明の誘導電動機の制御方法において、センサレスベクトル制御時、固定子抵抗のリアルタイム推定と、角誤差補償は、電流制御器のフィードフォワード補償項と電流制御器の積分器の出力電圧を用いて達成される。
【００７７】
本発明で提案された方式は、制御システムで最速の動特性を有する電流制御器の制御帯域幅によってその性能が決定されるため、動特性が非常に速く、特別な運転モードを有さないため、簡単であるという長所がある。
【００７８】
以上、代表的な実施形態を通じて本発明について詳細に説明したが、本発明の属する技術分野における通常の知識を有する者であれば、上述した実施形態に対して本発明の範囲から逸脱しない範囲内で種々の変形が可能であることを理解することができる。したがって、本発明の権利範囲は、説明された実施形態に限定されて定められなければならず、後述する特許請求の範囲だけでなく、この特許請求の範囲と均等なものによって定められなければならない。
【符号の説明】
【００７９】
１００    速度制御器
２００    電流制御器
５００    インバータ
７００    回転子速度及び位置推定器
１０００    固定子抵抗及び角誤差推定器
１１００    角速度誤差推定器
１２００    固定子抵抗推定器
【図１】
2014204668.tif 000022
【図２】
2014204668.tif 000023
【図３】
2014204668.tif 000024
【図４】
2014204668.tif 000025
【図５】
2014204668.tif 000026
【図６】
2014204668.tif 000027